(57)【要約】【課題】取り付けやすく、確実にドアを開放する。【解決手段】本体１６の折り返し部１６ｃは、壁１０のパッキン主要溝９０にパッキン９２を押しのけて収容されている。本体１６の背面板１６ａには、雌ねじ部１８が設けられ、ここに雄ねじ部２０が進退自在に螺合されている。雄ねじ部２０の先端には、押圧板８４が揺動自在に取り付けられている。従って、雄ねじ部２０を回転してドア１４側に移動させることによって、押圧板８４がドア１４を大きな力で押して、ドア１４を開放することができる。【選択図】図１
2006028894.tif 000002
【特許請求の範囲】
【請求項１】
ドア枠部に取り付けられ、ドアを押し開くドア開放装置であって、
ドア枠の角部に沿ってその内側方向から配置されるＬ型の２側板と、この２側板の裏面側に固定される裏面板とを含む本体と、
この本体の裏面板に設けられた雌ねじ部と、
この雌ねじ部に進退自在に螺合された雄ねじ部と、
この雄ねじ部の先端に揺動回転移動自在に取り付けられた押圧板と、
を有し、
前記２側板のドア側先端部には、外側に折り返された折り曲げ部が設けられており、この折り曲げ部が前記ドア枠と係合して、前記本体が前記ドア枠に取り付けられ、
前記雄ねじ部を回転させることで、雄ねじ部を前面側に移動させ、前記押圧板によって、ドアを押すことで、ドアを押し開くことを特徴とするドア開放装置。
【請求項２】
請求項１に記載の装置において、
前記押圧板の裏面側には、前記雄ねじ部の先端に対し揺動回転移動自在に取り付けられた固定部材が設けられていることを特徴とするドア開閉装置。
【請求項３】
請求項２に記載の装置において、
前記雄ねじ部の先端部には、周辺に向かって広がるつば部が形成され、前記固定部材は、前記つば部に対し遊びを持って外側から取り付けられていることを特徴とするドア開放装置。
【請求項４】
請求項３に記載の装置において、
前記固定部材は、前記押圧板にねじによって取り外し自在に固定されていることを特徴とするドア開閉装置。
【請求項５】
請求項１〜４のいずれかに記載の装置において、
前記折り曲げ部は、前記側板に対し、ほぼ１８０°折り曲げられ、先端部はドア枠内に挿入されることを特徴とするドア開閉装置。
【請求項６】
請求項１〜４のいずれかに記載の装置において、
前記折り曲げ部は、前記側板に対し、ほぼ９０°折り曲げられ、先端部はドア枠前面に配置されることを特徴とするドア開閉装置。
【発明の詳細な説明】
【技術分野】
【０００１】
本発明は、地震などによりドアが開かなくなった場合に、ドアを強制的に開放させるドア開放装置に関する。
【背景技術】
【０００２】
大地震などにより、ドア枠などが歪んだ場合、ドアが開かなくなってしまう場合が考えられる。そこで、従来より、ドア枠を歪みにくくしたり、歪んだ場合においても比較的小さな力でドアを開放させることができる耐震ドアが提案されている。
【０００３】
例えば、特許文献１、２では、ドア枠の水平方向および垂直方向の両方の辺の所定位置にローラスライド用のスライドベース板を取り付けておき、これに対応するドアの端部にローラを取り付け、これによってドア枠が歪んだ場合においてもドアの開放が容易になるようにしている。
【０００４】
【特許文献１】特開平１０−０８２２５２号公報
【特許文献２】特開平１１−２１０３４０号公報
【発明の開示】
【発明が解決しようとする課題】
【０００５】
しかし、上記従来例では、ドア枠の内側にスライドベースを取り付けなければならない。従って、ドアとドア枠との間に、このスライドベースを取り付けるだけの隙間がなければならず、利用できない場合があった。また、ローラとスライドベースの角度が悪いと、ローラの機能を十分利用することができず、ドア開放がうまくいかないという問題もあった。
【課題を解決するための手段】
【０００６】
本発明は、ドア枠部に取り付けられ、ドアを押し開くドア開放装置であって、ドア枠の角部に沿ってその内側方向から配置されるＬ型の２側板と、この２側板の裏面側に固定される裏面板とを含む本体と、この本体の裏面板に設けられた雌ねじ部と、この雌ねじ部に進退自在に螺合された雄ねじ部と、この雄ねじ部の先端に揺動回転移動自在に取り付けられた押圧板と、を有し、前記２側板のドア側先端部には、外側に折り返された折り曲げ部が設けられており、この折り曲げ部が前記ドア枠と係合して、前記本体が前記ドア枠に取り付けられ、前記雄ねじ部を回転させることで、雄ねじ部を前面側に移動させ、前記押圧板によって、ドアを押すことで、ドアを押し開くことを特徴とする。
【０００７】
また、前記押圧板の裏面側には、前記雄ねじ部の先端に対し揺動回転移動自在に取り付けられた固定部材が設けられていることが好適である。
【０００８】
また、前記雄ねじ部の先端部には、周辺に向かって広がるつば部が形成され、前記固定部材は、前記つば部に対し遊びを持って外側から取り付けられていることが好適である。
【０００９】
また、前記固定部材は、前記押圧板にねじによって取り外し自在に固定されていることが好適である。
【００１０】
また、前記折り曲げ部は、前記側板に対し、ほぼ１８０°折り曲げられ、先端部はドア枠内に挿入されることが好適である。
【００１１】
また、前記折り曲げ部は、前記側板に対し、ほぼ９０°折り曲げられ、先端部はドア枠前面に配置されることが好適である。
【発明の効果】
【００１２】
このように、本発明では、ドア枠に取り付けられた本体に取り付けられた雄ねじを回転させることで、大きな力でドアを押すことができる。このため、地震などで、ドアが開かなくなった場合においても、ドアを確実に開放することができる。特に、ドアの内側のドア枠に本体を取り付ける構成であり、ドアとドア枠の隙間には、何ら部材を挿入する必要がなく、ドアおよびドア枠自体は通常のものを利用できる。また、雄ねじの先端に揺動自在の押圧板を設けたため、ドアを確実に押圧することができる。
【００１３】
そして、本体の先端に折り曲げ部を設けこの折り曲げ部をドア枠のパッキン収容用の溝の突起部に引っかけることで、ドア枠に対する効率的な固定が行え、十分な強度でドアを押圧することが可能になる。すなわち、ドア枠のドア受け部には、ドア側に向けて溝が形成され、ここにドア受け用のパッキンが挿入されている場合がある。この場合、パッキン収容用の溝の内側（ドアにより開放される側）は、パッキン収容のため連続する突起部（凸条）となっており、ここに折り曲げ部を引っかけることができる。
【００１４】
また、折り曲げ部をドア枠の前面側の段差部に配置することによっても、ドアを押す際の力を折り曲げ部で受けることができる。
【発明を実施するための最良の形態】
【００１５】
以下、本発明の実施形態について、図面に基づいて説明する。
【００１６】
図１は、本実施形態に係るドア開放装置の取り付け状態を示す要部断面図、図２は背面側から見た図である。
【００１７】
モルタルおよびコンクリート製の壁１０のドア開口部の側面には、これを内面側から覆ってスチール板製のドア枠１２が設けられている。図１から分かるように、ドア枠１２は、ドア１４側（室外側）が広く、ドア１４から遠い室内側が狭く開口しており、その段差部１２ａには、パッキン収容溝９０が形成されここにパッキン９２が挿入配置されている。そして、このパッキン９２の前面により、ドア１４周辺部を受けるようになっている。
【００１８】
ドア開放装置の本体１６は、ドア１４の右上端部に対応するドア枠１２の角隅部に取り付けられる。本体１６は、ほぼ三角形状の背面板１６ａと、ドア枠１２の室内側部分に固着される２つの側面部１６ｂと、から構成され、全体として、前方（ドア１４側）および内方側が開放された箱状となっている。なお、内方側にも側面部を設けてもよい。
【００１９】
そして、本体１６の背面板１６ａの中央部分にはドア１４と直行する方向に向けて雌ねじ部１８が突出しており、この雌ねじ部１８に雄ねじ部２０が螺合されている。従って、雄ねじ部２０を回転することで雄ねじ部２０が本体１６の前後方向に進退する。
【００２０】
雄ねじ部２０の室内側の先端には、工具（レンチ）を係合させて雄ねじ部２０を回転できるように、六角径のねじ頭部２０ａが形成されている。この例では、ねじ頭部２０ａが雄ねじ部２０より大きな径にしてあるが、小さな径にしてもよい。
【００２１】
雄ねじ部２０のドア側の先端部２０ｃは、つば状（フランジ状）広がった形状になっている。そして、この先端部２０ｃを覆うように固定部材８０が間隙を持って配置されている。固定部材８０は、先端側が半球部８０ａになっており、この半球部８０ａが雄ねじ部２０の先端部２０ｃを覆い、後ろ側が円筒部８０ｂになっており、この円筒部８０ｂが雄ねじ部２０の先端部２０ｃの後ろ側に位置している。さらに、半球部８０ａの先端には押圧板固定ねじ８２がその頭部８２ａを半球部８０ａの内側に位置させ、ねじ部８２ｂを半球部８０ａから突出させて配置されている。
【００２２】
押圧板固定ねじ８２のねじ部８２ｂには、押圧板８４が固定されている。なお、押圧板８４は、本体１６の前面のほぼ全域に対応する大きさを持っており、ドア１４に対する押圧力を比較的広い面積で印加できるようにしている。さらに、押圧板８４は、本体１６の側面部１６ｂに突き当たるため、雄ねじ部２０が回転しても回転することはない。
【００２３】
また、壁１０のドア周囲に当たるドア枠１２のドア側周辺には、パッキン収容溝９０が形成され、このパッキン収容溝９０内に例えばゴム製などのパッキン９２が収容され、これがドアあたりになっている。また、このパッキン収容溝９０のドア側端部には、パッキン９２を収容するために、ドア枠の一部が突出した凸条９４が形成されている。すなわち、ドア枠１２は、その室外側がドア１４の周辺において、一旦凹みパッキン収容溝９０を形成している。そして、ドア枠１２のパッキン収容溝９０の内側端が、凸条９４を形成し、その後室内側に伸びている。
【００２４】
そして、本体１６のドア枠１２に固定される２側の先端部には、凸条９４に沿って外側に折り返された折り返し部（１８０°折り返す折り曲げ部）１６ｃが形成されている。すなわち、折り返し部１６ｃがパッキン収容溝９０内に、パッキン９２を押しのけて収容されている。
【００２５】
また、本体１６の側壁であって、ドア枠１２の凸条９４に内側から対向する部分にはねじ穴９６が設けられ、このねじ穴９６を介し固定ねじで本体１６をドア枠１２に固定することができる。
【００２６】
このような装置を取り付ける場合には、まず雄ねじ部２０を右に回し、本体１６から押圧板８４を前方に押し出す。次に、押圧板８４を手で握って動かないようにして、雄ねじ部２０を左に回す。これによって雄ねじ部２０の先端部２０ｃが固定部材８０の円筒部８０ｂに当たり、固定部材８０が雄ねじ部２０と一緒に回転する。これによって、押圧板固定ねじ８２が回転して、押圧板８４をはずすことができる。
【００２７】
押圧板８４をはずしたまま、雄ねじ部２０をさらに左に回して、ねじ穴９６が十分見える位置まで雄ねじ部２０を後退させ、この状態で、本体１６をパッキン収容溝９０に差し込む。隙間がないように十分押し込んだ位置において、ねじ穴９６に所定のねじを挿入し、本体１６をドア枠１２にねじ止めする。
【００２８】
このようにして、本体１６をドア枠１２に固定したら、雄ねじ部２０を右に回し、前進させ、その後押圧板８４を押圧板固定ねじ８２に押しつけて雄ねじ部２０を右に回すことによって押圧板８４を固定部材８０に固定する。押圧板８４の取付が終了した場合には、雄ねじ部２０を左に回して、押圧板８４が止まるまでを後退させる。そして、カバー９８によって、本体１６の背面側を覆って設置を終了する。
【００２９】
そして、使用する場合には、カバー９８をはずし、雄ねじ部２０を右に回すことによって、押圧板８４を前進させ、ドア１４に雄ねじ部２０の前進による押圧力を押圧板８４を介し作用させ、ドア１４を押し開く。この際、ドア１４を押すことの反力は、折り返し部１６ｃが凸条９４にぶつかることで、受けられる。このため、ねじ穴９６による固定は、単に位置決めのみでよく、強い固定力はいらないことになる。
【００３０】
図３、４は、ドア枠１２にパッキンが収容されていない場合における変形例である。すなわち、ドア枠１２のドア１４に当たるドア受け部には、平面上の段差部１２ａが設けられている。また、本実施形態では、本体１６の先端をほぼ９０°外側に折り曲げて、つば部１６ｄを形成している。従って、ドア１４を押すことによる反力は、このつば部１６ｄが段差部１２ａにぶつかることで、受けられる。他の構成は、上述の図１、２に示されたものと同一である。
【００３１】
本実施形態の係るドア開放装置によれば、雄ねじ２０を回転させることで、雄ねじ２０を押圧板８４に押し付けることができる。雄ねじ２０の先端の固定部材８０は、雄ねじ２０に対し揺動回転移動自在であり、従って押圧板８４は全面でドア１４に押しつけられる。そして、雄ねじ２０をさらに回転することによって、雄ねじ２０による押圧力が押圧板８４を介しドア１４に作用し、ドア１４が外側に向けて開く。
【００３２】
雄ねじ２０の回転力をドア１４に対する押圧力とするため、比較的小さなねじの回転力によってもその押圧力は非常に強力であり、地震によってドア枠１２が歪みドア１４が開放できなくなった場合においても、そのドア１４を容易に開放することができる。
【００３３】
さらに、本体１６の折り曲げ部（折り返し部１６ｃまたはつば部１６ｄ）を利用して、本体１６とドア枠１２の間の力を受けるため、構造が簡単でかつ強度を十分なものとすることができる。なお、折り返し部１６ｃまたはつば部１６ｄは、別部材として溶接などで固定してもよい。すなわち、十分な強度が得られれば、どの様な製造法によってもよい。
【図面の簡単な説明】
【００３４】
【図１】他の実施形態の装置の断面構造を示す図である。
【図２】他の実施形態の装置の室内側からみた図である。
【図３】さらに他の実施形態の装置の断面構造を示す図である。
【図４】さらに他の実施形態の装置の室内側からみた図である。
【符号の説明】
【００３５】
１０  壁、１２  ドア枠、１２ａ  段差部、１４  ドア、１６  本体、１６ａ  背面板、１６ｂ  側面部、１６ｃ  折り返し部、１６ｄ  つば部、１８  雌ねじ部、２０  雄ねじ部、２０ａ  頭部、２０ｃ  先端部、２４ａ  アンカーボルト、４８  受け板、８０  固定部材、８０ａ  半球部、８０ｂ  円筒部、８２  押圧板固定ねじ、８２ａ  頭部、８２ｂ  ねじ部、８４  押圧板、９０  パッキン収容溝、９２  パッキン、９４  凸条、９６  ねじ穴、９８  カバー。
【図１】
2006028894.tif 000003
【図２】
2006028894.tif 000004
【図３】
2006028894.tif 000005
【図４】
2006028894.tif 000006